(57)【要約】【課題】中間単心分離による通信障害の発生が無く、光ファイバケーブルの利用効率を向上させた光ファイバ配線方法を提供する。【解決手段】本発明に係る光ファイバ配線方法によれば、少なくとも一つの接続クロージャ２２−Ｂ−１〜２２−Ｂ−３内で少なくとも一箇所中間単心分離を実施することにより、接続クロージャ２２−Ｂ−１〜２２−Ｂ−３間で光ファイバテープ２０、２１の単心線を単心線単位で融通できるので、中間単心分離による通信障害の発生が無く、光ファイバケーブルの利用効率を向上させることができる。【選択図】        図１
2004341298.tif 000002
【特許請求の範囲】
【請求項１】
局からの複数の光ファイバテープを有する光ファイバケーブルの途中に設けられた複数の接続クロージャから複数の加入者宅へ上記光ファイバテープ中の光ファイバの単心線を配線する光ファイバ配線方法において、各接続クロージャ内の光ファイバテープから必要な単心線の端末の融通を可能にすべく、接続クロージャ内で加入者宅への未配線の単心線だけを有する光ファイバテープについてのみ単心線に分離する中間単心分離を許容する条件のもとに、上記光ファイバテープの中間単心分離を少なくとも一つの接続クロージャ内で少なくとも一箇所実施することを特徴とする光ファイバ配線方法。
【請求項２】
加入者宅への配線前に予め複数の接続クロージャ内の同一の光ファイバテープについて中間単心分離を実施しておき、中間単心分離を実施した接続クロージャ内で上記光ファイバテープから加入者宅への未配線の単心線を選択し、加入者宅へ配線が必要になった接続クロージャ内でその単心線を切断し、局に近い方の単心線の端末を加入者宅への引き落とし用の光ファイバケーブル中の単心線に直接接続するか、あるいは光スプリッタを介して間接接続する請求項１に記載の光ファイバ配線方法。
【請求項３】
任意の接続クロージャ内で上記光ファイバテープの中間単心分離を少なくとも一箇所実施しておき、加入者宅への配線が必要になった接続クロージャ内の光ファイバテープが中間単心分離されていないときは、その配線が必要になった接続クロージャ内において、加入者宅へ未配線であり、かつ他の接続クロージャ内で中間単心分離された単心線を有する光ファイバテープを選択し、その選択された光ファイバテープを配線が必要になった接続クロージャ内で中間単心分離した後に、上記未配線の単心線を選択して切断し、局に近い方の単心線の端末を加入者宅への引き落とし用の光ファイバケーブル内の単心線に直接接続するか、光スプリッタを介して間接接続する請求項１に記載の光ファイバ配線方法。
【請求項４】
加入者宅への配線前に予め複数の接続クロージャ内で共通の光ファイバテープの中間単心分離を実施しておき、加入者宅への配線を実施する際に余剰単心線の端末を有する接続クロージャ内で、その余剰単心線の端末を他の中間単心分離した単心線の端末に接続する請求項１に記載の光ファイバ配線方法。
【請求項５】
任意の接続クロージャ内で光ファイバテープの中間単心分離を少なくとも一箇所実施しておき、加入者宅への配線が必要になった接続クロージャ内の光ファイバテープが中間単心分離されていないときは、その配線が必要になった接続クロージャ内で、加入者宅へ未配線であり、かつ余剰単心線の端末がある他の接続クロージャ内で中間単心分離された光ファイバテープを選択し、その選択した光ファイバテープをその配線が必要になった接続クロージャ内で中間単心分離し、余剰単心線の端末がある他の接続クロージャに近い方の上記未配線の単心線の端末を加入者宅への引き落とし用の光ファイバケーブル中の単心線に直接接続するか、光スプリッタを介して間接接続すると共に、余剰単心線の端末がある他の接続クロージャ内で中間単心分離された光ファイバテープの単心線を切断し、加入者宅への配線が必要な側の単心線の端末に余剰単心線の端末を接続する請求項１に記載の光ファイバ配線方法。
【発明の詳細な説明】
【０００１】
【発明の属する技術分野】
本発明は、光ファイバ配線方法に関する。
【０００２】
【従来の技術】
近年の光通信技術の進展とインターネットに代表される通信需要の急増により、一般家庭を含めた加入者系への光ファイバケーブルの導入が始まっている。従来、局から加入者宅までの光線路は、太束の幹線用光ファイバケーブルと、配線用光ファイバケーブルの端末若しくは途中に形成された接続クロージャから加入者宅配線用（「引き落とし接続用」とも言う）の単心線を被覆で覆ったドロップケーブルで加入者宅に配線（「サービス」とも言う）する形態が検討されてきた。このドロップケーブルへの接続を「引き落とし接続」と称する。配線用光ファイバケーブル相互の接続箇所では、接続クロージャと呼ばれる筐体によって、露出した単心線接続部を収容している。
【０００３】
日本国内では、幹線用光ファイバケーブルには８心光ファイバテープを集合したタイプのものが用いられ、配線用光ファイバケーブルには４心光ファイバテープを集合したタイプのものが用いられている。このような光ファイバテープを用いることにより、光ファイバケーブルを細くできること、光ファイバ接続を効率的に実施できるという利点がある。
【０００４】
本発明は、配線用光ファイバケーブルの運用方法に関するものであり、この配線用光ファイバケーブルは、通常、電柱を利用して配線される場合が多く、そのタイプの配線用光ファイバケーブルを「架空光ファイバケーブル」と呼んでいる（例えば、非特許文献１参照）。
【０００５】
尚、各加入者宅へ配線する光ファイバの単心線は通常１心であるため、加入者宅へ配線するドロップケーブルと配線用光ファイバケーブルとを接続する際に、光ファイバテープを単心線に変換することが必要である。そのため、光ファイバテープの端末を工具で直接単心線に分離している。
【０００６】
図５は光ファイバの端末を工具で直接単心線に分離した状態を示す図である。
【０００７】
同図に示す光ファイバテープ１のテープ端単心分離部２の各単心線３の端末は、図示しないドロップケーブルに収容されている光ファイバ単心線に、融着やメカニカルスプライスによって接続される。
【０００８】
しかしながら、光ファイバテープ１に含まれる単心線３の数と、加入者宅の数（すなわち配線すべき場所の配線需要）とが一致しない場合が普通である。このような数の不一致の場合には、無駄に放置する単心線３の端末が最大３心（４心テープの場合）も発生してしまうため、単心線３の利用効率に問題があった。
【０００９】
なお、光加入者系については、通信システムの経済性を考慮してパッシブダブルスター（ＰＤＳ）と呼ばれる配線形態が採用されている。
【００１０】
図６はパッシブダブルスターの構成図である。
【００１１】
同図に示すように局側の光伝送ユニット４を複数の加入者宅５で共有するため、局側の単心線（１心）６を複数の単心線７に分岐する光スプリッタ８が、光線路の途中に挿入されている。光スプリッタ８は、局側の光伝送ユニット４からの光信号を複数の加入者宅５側の光伝送装置（図示省略）に分配すると共に、反対方向の光信号、つまり、複数の加入者宅５からの光信号を局の光伝送ユニット４に伝送する働きをする。複数の加入者宅５側の光伝送装置からの光信号は、混信しないように、時間を調整して伝送されるようになっている。この光スプリッタ８が局内に設置されている場合には、光スプリッタ８の端子は局内の光配線盤（図示せず）により１心単位で配線運用ができるため、無駄なく利用することができる。
【００１２】
一方、光スプリッタ８を局外に設置した場合には配線運用上に問題がある。このため、従来は光スプリッタ８を局内に設置することだけが検討されていた。しかし、最近では、局外の光ケーブルを節約することができるため、光スプリッタ８を局外に設置することが進められている。
【００１３】
現在は、局内に４分岐の光スプリッタを設置し、局外に８分岐の光スプリッタを設置して直列接続し、全体で３２分岐にする形態が主流になりつつある。この場合、単心分離された各単心線のうちの１単心線を光スプリッタで８心に分岐すると、その分岐先に１心分しか加入者の需要が無いときには、単心分離されたうちの７心分を無駄に保有してしまうことになる。この場合、４心光ファイバテープでは、本来３２軒の加入者宅に配線できるものであるのに、たった１軒の加入者宅にしか利用されないで放置されることが起こってしまうのである。
【００１４】
このため、光スプリッタの利用率が低くなって、光スプリッタを局外に設置するコスト低減効果が生じないという問題がある。
【００１５】
一方、光配線系に光ファイバテープを適用した場合の、このような心線利用効率の低下を避けるため、他の方法も検討されてきた。
【００１６】
例えば、図７に示すように光ファイバテープ９の端末ではなく中間部の被覆を局所的に取り去ることによって各単心線１０に分離し、その分離した箇所から１本の単心線１０を取り出して切断し、その単心線端末を加入者宅へ配線する方法がある（例えば、特許文献１参照）。このような目的の被覆除去方法（以下「中間単心分離」という）は、他にも検討されている（例えば、特許文献２及び特許文献３参照）。尚、図７は中間単心分離を実施した光ファイバテープの説明図である。
【００１７】
しかしながら、この光ファイバテープ９の中間単心分離で想定している配線方法は、必要に応じて光ファイバテープ９を任意の場所で分岐し、単心線１０の配線と同様に扱えるようにすることである。
【００１８】
このため、このような中間単心分離においては、信号光が伝搬している通信サービス中の光ファイバを含む光ファイバテープも対象になるので、作業中に規格外の光損失が生じないことが必要になる。そのため、光ファイバの配線を確実に実施することが難しく、中間単心分離作業も手間がかかるものとならざるを得ない。
【００１９】
従って、この光ファイバテープの中間部から単心線を分岐するだけの従来技術はあるものの、どのように分岐し、分岐後の単心線端末をどのように配線するかについては、現実には実施されていない。
【００２０】
【特許文献１】
特許第２６３７４１１号明細書（第２頁、第１図）
【特許文献２】
特開平８−５８８０号公報（第１０頁、第７図）
【特許文献３】
特開平１０−２２１５４５号公報（第３−５頁、第１図）
【非特許文献１】
周健他「ＳＭ型架空光ファイバケーブルの光損失特性」２００１年電子情報通信学会総合大会講演論文集（分冊：通信２）、講演番号Ｂ−１０−２２、ｐ．４５５
【００２１】
【発明が解決しようとする課題】
ところで、光ファイバテープによる従来の配線方法では、単心線の利用効率が極端に低下するという問題があった。この利用効率の低下の問題を解決するために検討されている光ファイバテープの中間単心分離による単心分岐の配線方法は、現状では通信光が伝搬している場合について確実に光損失増加を防止できる保証が無いため、通信障害の不安が伴うという問題があった。
【００２２】
そこで、本発明の目的は、上記課題を解決し、中間単心分離による通信障害の発生が無く、光ファイバケーブルの利用効率を向上させた光ファイバ配線方法を提供することにある。
【００２３】
【課題を解決するための手段】
上記目的を達成するために、請求項１の発明は、局からの複数の光ファイバテープを有する光ファイバケーブルの途中に設けられた複数の接続クロージャから複数の加入者宅へ光ファイバテープ中の光ファイバの単心線を配線する光ファイバ配線方法において、各接続クロージャ内の光ファイバテープから必要な単心線の端末の融通を可能にすべく、接続クロージャ内で加入者宅への未配線の単心線だけを有する光ファイバテープについてのみ単心線に分離する中間単心分離を許容する条件のもとに、光ファイバテープの中間単心分離を少なくとも一つの接続クロージャ内で少なくとも一箇所実施するものである。
【００２４】
請求項１の構成によれば、光ファイバテープの中間単心分離を少なくとも一つの接続クロージャ内で少なくとも一箇所実施することにより、接続クロージャ間で光ファイバテープを単心線単位で融通できるので、加入者宅に配線されていない単心線を選択して配線することで中間単心分離による通信障害の発生が無く、光ファイバケーブルの利用効率を向上させることができる。
【００２５】
請求項２の発明は、請求項１に記載の構成に加え、加入者宅への配線前に予め複数の接続クロージャ内の同一の光ファイバテープについて中間単心分離を実施しておき、中間単心分離を実施した接続クロージャ内で光ファイバテープから加入者宅への未配線の単心線を選択し、加入者宅へ配線が必要になった接続クロージャ内でその単心線を切断し、局に近い方の単心線の端末を加入者宅への引き落とし用の光ファイバケーブル中の単心線に直接接続するか、あるいは光スプリッタを介して間接接続してもよい。
【００２６】
請求項２の構成によれば、加入者宅への配線が全く実施されていない光ファイバテープを選択し、その光ファイバテープに中間単心分離を実施し、中間単心分離された単心線を利用することにより、中間単心分離による通信障害の発生が無い。また、配線が実施されていない単心線を利用するので光ファイバケーブルの利用効率を向上させることができる。
【００２７】
請求項３の発明は、請求項１に記載の構成に加え、任意の接続クロージャ内で光ファイバテープの中間単心分離を少なくとも一箇所実施しておき、加入者宅への配線が必要になった接続クロージャ内の光ファイバテープが中間単心分離されていないときは、その配線が必要になった接続クロージャ内において、加入者宅へ未配線であり、かつ他の接続クロージャ内で中間単心分離された単心線を有する光ファイバテープを選択し、その選択された光ファイバテープを配線が必要になった接続クロージャ内で中間単心分離した後に、未配線の単心線を選択して切断し、局に近い方の単心線の端末を加入者宅への引き落とし用の光ファイバケーブル内の単心線に直接接続するか、光スプリッタを介して間接接続してもよい。
【００２８】
請求項３の構成によれば、加入者宅への配線が必要になった接続クロージャ内に中間単心分離された光ファイバテープが無いときには、他の接続クロージャ内で中間単心分離が実施された光ファイバテープを選択し、その光ファイバテープから単心線を引き出して切断し、切断した単心線の端末のうち局に近い方の単心線の端末を加入者宅に配線すればよいので、中間単心分離による通信障害の発生が無く、光ファイバケーブルの利用効率を向上させることができる。
【００２９】
請求項４の発明は、請求項１に記載の構成に加え、加入者宅への配線前に予め複数の接続クロージャ内で共通の光ファイバテープの中間単心分離を実施しておき、加入者宅への配線を実施する際に余剰単心線の端末を有する接続クロージャ内で、その余剰単心線の端末を他の中間単心分離した単心線の端末に接続してもよい。
【００３０】
請求項４の構成によれば、加入者宅への配線を実施する際に端末が余っている単心線を有する接続クロージャを利用することにより、中間単心分離による通信障害が無く、光ファイバケーブルの利用効率を向上させることができる。
【００３１】
請求項５の発明は、請求項１に記載の構成に加え、任意の接続クロージャ内で光ファイバテープの中間単心分離を少なくとも一箇所実施しておき、加入者宅への配線が必要になった接続クロージャ内の光ファイバテープが中間単心分離されていないときは、その配線が必要になった接続クロージャ内で、加入者宅へ未配線であり、かつ余剰単心線の端末がある他の接続クロージャ内で中間単心分離された光ファイバテープを選択し、その選択した光ファイバテープをその配線が必要になった接続クロージャ内で中間単心分離し、余剰単心線の端末がある他の接続クロージャに近い方の未配線の単心線の端末を加入者宅への引き落とし用の光ファイバケーブル中の単心線に直接接続するか、光スプリッタを介して間接接続すると共に、余剰単心線の端末がある他の接続クロージャ内で中間単心分離された光ファイバテープの単心線を切断し、加入者宅への配線が必要な側の単心線の端末に余剰単心線の端末を接続してもよい。
【００３２】
請求項５の記載によれば、単心分離部の無い接続クロージャ内で加入者宅へ未配線であって、かつ余剰単心線の端末がある他の接続クロージャに単心中間分離部がある光ファイバテープを選択し、その光ファイバテープを中間単心分離して単心線端末を接続することにより、中間単心分離による通信障害が無く、光ファイバケーブルの利用効率を向上させることができる。
【００３３】
【発明の実施の形態】
以下、本発明の実施の形態を添付図面に基づいて詳述する。
【００３４】
図１（ａ）は本発明の光ファイバ配線方法の一実施の形態を示す、新たな加入者宅への配線前の説明図であり、図１（ｂ）は図１（ａ）の新たな加入者宅への配線後の説明図である。尚、説明を簡単にするため、光ファイバケーブルを２本の光ファイバテープで表している。
【００３５】
図１（ａ）に示すように、局（図示せず）からの複数（図１（ａ）では２本であるが限定されない）の光ファイバテープ２０、２１を有する光ファイバケーブルに複数（この場合５箇所であるが限定されない）の接続クロージャ２２−Ａ、２２−Ｂ−１、２２−Ｂ−２、２２−Ｂ−３、２２−Ｃが設けられている。各接続クロージャ２２−Ａ〜２２−Ｃから各加入者宅（図示せず）へ単心線を被覆で覆ったドロップケーブルで配線する（「引き落とす」とも言う）ことができるようになっている。
【００３６】
接続クロージャ２２−Ａは、光ファイバケーブルの接続箇所であるため、光ファイバテープ２０、２１同士を接続してある。光ファイバテープ２０、２１の接続部を２７、２８で示す。光ファイバテープ２０、２１の接続方法としては、多心融着接続、ＭＴ（Ｍｅｃｈａｎｉｃａｌｌｙ  Ｔｒａｎｓｆｅｒａｂｌｅ）コネクタ、メカニカルスプライス等が適用できる。
【００３７】
接続クロージャ２２−Ｃにおいて、一方の光ファイバテープ２０（図１（ａ）では上側）が端末（この場合右端末）で単心分離され、そのうちの１本の単心線端末２９がドロップケーブル３０中の光ファイバの単心線端末３１に接続されている。単心線端末２９と単心線端末３１との接続部を３２−１で示す。単心線端末２９、３１同士の接続にはメカニカルスプライスや融着接続が適用できる。
【００３８】
このように、光ファイバケーブルの端末で、引き落とし接続されている光ファイバテープ２０を除外し、光ファイバケーブルの中間の接続クロージャ２２−Ｂ−１〜２２−Ｂ−３で、中間単心分離を実施しているのが、他方の光ファイバテープ２１（この場合下側）である。中間単心分離部をそれぞれ３３−１、３３−２、３３−３で示す。
【００３９】
図１（ａ）に示す配線状態のとき、接続クロージャ２２−Ａ〜２２−Ｃのうちのいずれかの接続クロージャ２２−Ｂ−１〜２２−Ｂ−３で引き落とし接続が必要になった場合には、中間単心分離部３３−１〜３３−３から単心線を選択して切断し、局に近い側（この場合左側）の単心線の端末をドロップケーブルの単心線端末と接続すればよい。
【００４０】
図１（ｂ）には、接続クロージャ２２−Ｂ−１、２２−Ｂ−３でドロップケーブル３６、３７による引き落とし接続を実施した場合が示されている。すなわち、接続クロージャ２２−Ｂ−１で光ファイバテープ２１の中間単心分離部３３−１の切断された単心線のうちの局に近い方の単心線端末２３にドロップケーブル３６の単心線端末３９が接続され、接続クロージャ２２−Ｂ−３で光ファイバテープ２１の中間単心分離部３３−３の切断された単心線のうちの局に近い方の単心線端末４０にドロップケーブル３７の単心線端末４１が接続されている。単心線端末２３と単心線端末３９との接続部を３２−２で示し、単心線端末４０と単心線端末４１との接続部を３２−３で示す。
【００４１】
このようなドロップケーブル３６、３７で引き落とし接続を実施した後、接続クロージャ２２−Ｂ−１、２２−Ｂ−３で引き落とし接続の需要がどのように発生しても、この中間単心分離した光ファイバテープ２１については、単心線が無駄なく利用される。
【００４２】
このように、引き落とし作業を実施する前に、少なくとも一つの接続クロージャ２２−Ｂ−１〜２２−Ｂ−３に少なくとも一箇所の中間単心分離部３３−１〜３３−３を設けておくことにより、これらの接続クロージャ２２−Ｂ−１〜２２−Ｂ−３間で光ファイバテープ２１内の単心線を単心線単位で融通できるため、光ファイバケーブル内の単心線を効率的に利用することができる（同一の光ファイバテープ２０（２１）について、接続クロージャ２２−Ｂ−１〜２２−Ｂ−３の全てに中間単心分離部３３−１〜３３−３を設けなくてもよい。）。
【００４３】
なお、中間単心分離した光ファイバテープ２１については、実際には接続クロージャ２２−Ｃでも引き落とし接続ができる。但し、接続クロージャ２２−Ｃでの引き落とし接続は極力後回しにして、中間単心分離をしていない光ファイバテープ２０からの引き落とし接続を優先した方がよい。接続クロージャ２２−Ａにおいてもその接続クロージャ２２−Ａでの引き落とし接続用に、接続しない光ファイバテープを残しておく方がよい。
【００４４】
このように引き落とし配線を実施することにより、接続クロージャ２２−Ｂ−１〜２２−Ｂ−３間で光ファイバテープ２１内の単心線を単心線単位で融通できるので、中間単心分離による通信障害の発生が無く、光ファイバケーブルの利用効率を向上させることができる。
【００４５】
図２（ａ）は本発明の光ファイバ配線方法の他の実施の形態を示す、新たな加入者宅への配線前の説明図であり、図２（ｂ）は図２（ａ）の新たな加入者宅への配線後の説明図である。以下、図１（ａ）、（ｂ）に示した実施の形態と同様の部材には共通の符号を用いた。
【００４６】
図２（ａ）、（ｂ）に示した実施の形態と、図１（ａ）、（ｂ）に示した実施の形態との相違点は、両光ファイバテープが中間単心分離されている点である。
【００４７】
図２（ａ）に示すように接続クロージャ２２−Ｂ−４で光ファイバテープ２１の中間単心分離部３３−４の切断された単心線のうち局に近い方の単心線端末３８にドロップケーブル２４の単心線端末２５が接続され、接続クロージャ２２−Ｂ−６で光ファイバテープ２０の中間単心分離部３３−５の切断された単心線のうち局に近い方の単心線端末４３にドロップケーブル４４の単心線端末４５が接続されている。単心線端末２５と単心線端末３８との接続部を３２−４で示し、単心線端末４３と単心線端末４５との接続部を３２−５で示す。
【００４８】
同図に示すように光ファイバテープ２０、２１が部分的に中間単心分離されているが、中間単心分離されていない光ファイバテープが他にあるとすれば、このような部分的に中間単心分離された状態は十分に想定される。
【００４９】
ここで、接続クロージャ２２−Ｂ−５に引き落とし接続の需要が発生した場合を考える（若しくは引き落とし接続の需要があって、光ファイバケーブルに接続クロージャ２２−Ｂ−５を取り付けたと考えてもよい）。
【００５０】
このような引き落とし接続の需要が発生したとき、接続クロージャ２２−Ｂ−５内の光ファイバテープ２０、２１には中間単心分離部がないので、新たに中間単心分離を実施する必要が生じるが、中間単心分離を実施する光ファイバテープの選択の仕方が問題である。このような場合、収容する単心線の全てが加入者宅へ未配線である光ファイバテープを選択すればよい。
【００５１】
加入者宅に対し、未配線の単心線を有する光ファイバテープを選択することにより、中間単心分離の際に、既配線加入者宅への通信障害を発生させるおそれがない。どの単心線が加入者宅に未配線であるのかは、従来の運用法においても確認できるため、既存のデータベースから判断できる事項である。このようにして加入者宅に未配線の単心線を有する光ファイバテープを選択し、接続クロージャ２２−Ｂ−５で引き落とし接続を実施した状態を図２（ｂ）に示す。
【００５２】
図２（ｂ）に示すように、接続クロージャ２２−Ｂ−５で光ファイバテープ２１の中間単心分離部３３−６の切断された単心線のうち局に近い方の単心線端末４７にドロップケーブル４８の単心線端末４９が接続されている。単心線端末４７と単心線端末４９との接続部を３２−６で示す。
【００５３】
このような引き落とし配線を実施しても図１（ａ）、（ｂ）に示した実施の形態と同様の効果が得られる。
【００５４】
図３（ａ）は本発明の光ファイバ配線方法の他の実施の形態を示す、新たな加入者宅への配線前の説明図であり、図３（ｂ）は図３（ａ）の新たな加入者宅への配線後の説明図である。
【００５５】
図３（ａ）、（ｂ）に示した実施の形態と、図２（ａ）、（ｂ）に示した実施の形態との相違点は、接続クロージャの中間単心分離部に光スプリッタを用いて間接接続した点である。
【００５６】
図３（ａ）に示す接続クロージャ２２−Ｂ−８において、光ファイバテープ２０の中間単心分離部３３−７が切断され、切断された単心線のうち局に近い方の単心線端末５１に光スプリッタ５２の統合側端子５３が接続され、光スプリッタ５２の分岐側端子５０の一つがドロップケーブル５５の単心線端末５６に引き落とし接続されている。単心線端末５１と統合側端子５３との接続部を３２−７で示し、分岐側端子５０と単心線端末５６との接続部を３２−８で示す。
【００５７】
ここで、中間単心分離部３３−７に光スプリッタ５２を用いて光ファイバテープ２０とドロップケーブル５５とを間接接続することにより、光スプリッタ５２の分岐側端子５０を他の接続クロージャに利用できること、あるいは先の切断した光ファイバテープの余剰単心線の端末を他の接続クロージャに利用することができる点について、以下説明する。
【００５８】
図３（ｂ）は同一の光ファイバテープの中間単心分離部を設けた他の接続クロージャ２２−Ｂ−７、２２−Ｂ−１０でそれぞれ引き落としケーブル６５、６８で引き落とし接続をした状態を示している。
【００５９】
まず、前述した接続クロージャ２２−Ｂ−８内に、中間単心分離部３３−８を有する光ファイバテープ２１があるため、その光ファイバテープ２１から単心線を引き出して切断し、得られた二つの単心線端末のうち、局に近い方の単心線端末５７と光ファイバテープ２０の局に近い方の単心線端末５８とを接続すると共に、光ファイバテープ２１の残りの単心線端末５９と光スプリッタ５２の他の分岐側端子５４とを接続する。単心線端末５７と単心線端末５８との接続部を３２−９で示し、分岐側端子５４と単心線端末５９との接続部を３２−１０で示す。
【００６０】
次に、接続クロージャ２２−Ｂ−７内の中間単心分離部３３−１０の切断した単心線のうちの局から遠い方の単心線端末６１を光スプリッタ６２の統合側端子６３に接続し、光スプリッタ６２の分岐側端子６４とドロップケーブル６５の単心線端末６６とを接続する。単心線端末６１と統合側端子６３との接続部を３２−１１で示し、分岐側端子６４と単心線端末６６との接続部を３２−１２で示す。
【００６１】
さらに、接続クロージャ２２−Ｂ−１０内で、光ファイバテープ２１の中間単心分離部３３−９の単心線を引き出して切断し、局に近い方の単心線端末６７とドロップケーブル６８の単心線端末６９とを接続する。単心線端末６７と単心線端末６９との接続部を３２−１３で示す。
【００６２】
このように配線することで、他の光ファイバテープの空き単心線端末や、光スプリッタの空き端子を、複数の中間単心分離部を設けた光ファイバテープを利用して、他の接続クロージャで利用することができる。また、このような配線を実施しても図１（ａ）、（ｂ）に示した実施の形態と同様の効果が得られる。
【００６３】
図４（ａ）は本発明の光ファイバ配線方法の他の実施の形態を示す、新たな加入者宅への配線前の説明図であり、図４（ｂ）は図４（ａ）の新たな加入者宅への配線後の説明図である。
【００６４】
図４（ａ）、（ｂ）に示した実施の形態と、図３（ａ）、（ｂ）に示した実施の形態との相違点は、両光ファイバテープ２０、２１が中間単心分離されている点である。
【００６５】
図４（ａ）、（ｂ）に示した実施の形態は、需要が発生した接続クロージャ２２−Ｂ−１４に中間単心分離部が設けられていなかった場合を示す。
【００６６】
図４（ａ）に示す接続クロージャ２２−Ｂ−１１内で、光ファイバテープ２１の中間単心分離部３３−１３のうちの引き出されて切断され局に近い方の単心線端末７０とドロップケーブル６０の単心線端末８２とが接続されている。
【００６７】
同図に示す接続クロージャ２２−Ｂ−１２内で、光ファイバテープ２０の中間単心分離後に切断された単心線のうち局に近い方の単心線端末７１と光スプリッタ７２の統合側端子７３とが接続されており、光スプリッタ７２の分岐側端子７４とドロップケーブル７５の単心線端末７６とが接続されている。
【００６８】
図４（ｂ）に示す接続クロージャ２２−Ｂ−１２内で光ファイバテープの中間単心分離され、局から遠い方の単心線端末７７と光スプリッタ７２の他の分岐側端子７８とが接続されている。
【００６９】
同図に示す接続クロージャ２２−Ｂ−１４内で光ファイバテープ２１の中間単心分離され、局に近い方の単心線端末７９とドロップケーブル８０の単心線端末８１とが接続されている。
【００７０】
このような場合、図２（ａ）、（ｂ）に示した実施の形態と同様に、収容する全ての光ファイバテープ２０、２１が加入者宅へ未配線の光ファイバテープを選択すればよい。このように光ファイバテープを選択し、接続クロージャ２２−Ｂ−１４で局に近い方の単心線端末７９とドロップケーブル８０の単心線端末８１とを接続すると、図２（ｂ）の接続クロージャ２２−Ｂ−５に示した接続状態と同様になる。
【００７１】
以上において、本発明によれば、中間単心分離によって通信障害を起こす危険をおかすことなく、光ファイバテープ集合型の光ファイバケーブルについての単心での運用を可能にするものであるので、光ファイバケーブルの利用効率を向上させることができ、光ブロードバンドサービスの低コスト化に寄与することができる。
【００７２】
【発明の効果】
以上要するに本発明によれば、中間単心分離による通信障害の発生が無く、光ファイバケーブルの利用効率を向上させた光ファイバ配線方法の提供を実現することができる。
【図面の簡単な説明】
【図１】図１（ａ）は本発明の光ファイバ配線方法の一実施の形態を示す、新たな加入者宅への配線前の説明図であり、図１（ｂ）は図１（ａ）の新たな加入者宅への配線後の説明図である。
【図２】図２（ａ）は本発明の光ファイバ配線方法の他の実施の形態を示す、新たな加入者宅への配線前の説明図であり、図２（ｂ）は図２（ａ）の新たな加入者宅への配線後の説明図である。
【図３】図３（ａ）は本発明の光ファイバ配線方法の他の実施の形態を示す、新たな加入者宅への配線前の説明図であり、図３（ｂ）は図３（ａ）の新たな加入者宅への配線後の説明図である。
【図４】図４（ａ）は本発明の光ファイバ配線方法の他の実施の形態を示す、新たな加入者宅への配線前の説明図であり、図４（ｂ）は図４（ａ）の新たな加入者宅への配線後の説明図である。
【図５】光ファイバの端末を工具で直接単心線に分離した状態を示す図である。
【図６】パッシブダブルスターの構成図である。
【図７】中間単心分離を実施した光ファイバテープの説明図である。
【符号の説明】
２０、２１  光ファイバテープ
２２−Ａ、２２−Ｂ−１〜２２−Ｂ−１４、２２−Ｃ  接続クロージャ
２３、２９、３１、４０  単心線端末
３０、３６、３７  ドロップケーブル
３２−１〜３２−１３  接続部
３３−１〜３３−１４  中間単心分離部
【図１】
2004341298.tif 000003
【図２】
2004341298.tif 000004
【図３】
2004341298.tif 000005
【図４】
2004341298.tif 000006
【図５】
2004341298.tif 000007
【図６】
2004341298.tif 000008
【図７】
2004341298.tif 000009